(57)【要約】【課題】空気を封入した凸部を多数配列した緩衝性シートを台紙としてスキンパックして、しかも、別の包装容器を要することなく、輸送あるいは展示することのできる包装体を提供すること。【解決手段】包装袋と、１又はそれ以上の固体内容物と、この固体内容物を固定する固定用フィルムとから成り、包装袋の内面に、空気を封入した凸部１ａが多数配列されており、固体内容物２をこの包装袋内面に位置させると共に、固定用フィルム３で固体内容物を被覆して、その周囲で包装袋内面に密着させる。【選択図】図３
2017105485.tif 000002
【特許請求の範囲】
【請求項１】
包装袋と、１又はそれ以上の固体内容物と、この固体内容物を固定する固定用フィルムとから成り、
包装袋の内面に、空気を封入した凸部が多数配列されており、
固体内容物がこの包装袋内面に位置すると共に、固定用フィルムが固体内容物を被覆して、その周囲で包装袋内面に密着していることを特徴とする緩衝性包装体。
【請求項２】
包装袋内面と固定用フィルムとの間が減圧状態に維持されていることを特徴とする請求項１に記載の緩衝性包装体。
【請求項３】
複数の前記固体内容物が、互いに離隔した位置に配置されていることを特徴とする請求項１又は２に記載の緩衝性包装体。
【請求項４】
包装袋が互いに向き合う前壁と後壁とを備えており、複数の前記固体内容物のうち、少なくとも１の固体内容物が前壁の内面と固定用フィルムとの間に位置しており、他の固体内容物が後壁の内面と固定用フィルムとの間に位置していることを特徴とする請求項３に記載の緩衝性包装体。
【発明の詳細な説明】
【技術分野】
【０００１】
本発明は、俗にエアーキャップあるいはエアークッションと呼ばれる緩衝性シートを使用して、固体内容物を衝撃から保護する包装体に関する。
【背景技術】
【０００２】
俗にエアーキャップあるいはエアークッションと呼ばれる緩衝性シートは、２枚のフィルムの間に独立した空気室を多数配列して構成されるもので、一般に、図１（ａ）の斜視図、図１（ｂ）の断面説明図に示すような構造を有している。
【０００３】
すなわち、この緩衝性シート１は、２枚のフィルムのうち、一方のフィルムをエンボスして凸部１ａを多数設け、他方のフィルムと貼り合わせて構成される。エンボスによって形成された凸部１ａと他方のフィルムとの間には空気が封入されて、独立した空気室を構成し、この空気室によって緩衝効果の高いシートが得られる。
【０００４】
この緩衝性シート１は、例えば、紙箱等の容器中に壊れ易い固体内容物を収容する場合に、容器と固体内容物との間にこの緩衝性シート１を介在させる等の方法で利用されてきた。容器外部から衝撃が加わったときに、この緩衝性シート１が衝撃を緩和するため、内容物をその衝撃から保護することができるのである。
【０００５】
この緩衝性シート１を台紙として、固体内容物をいわゆるスキンパックした包装体も知られている（特許文献１〜３）。スキンパックは、台紙上に固体内容物を配置し、この固体内容物を被覆して固定用フィルムを重ね、台紙と固定用フィルムとの間を真空吸引すると共に、固定用フィルムを加熱軟化させて、固体内容物の周囲で台紙と固定用フィルムとを密着させる技術であり、こうして得られた包装体をスキンパックと呼ぶこともある。
【０００６】
真空吸引と固定用フィルムの加熱軟化とにより、固定用フィルムは概ね固体内容物の形状に沿って変形し、しかも、得られた包装体では台紙と固定用フィルムとの間は減圧状態に維持されているから、固体内容物は台紙に固定されて揺動することがない。このため、一層確実に外部の衝撃から固体内容物を保護することができる。
【先行技術文献】
【特許文献】
【０００７】
【特許文献１】実公昭４５−１８１３０号公報
【特許文献２】実開昭５９−６４７６２号公報
【特許文献３】特開昭６０−２４６１号公報
【発明の概要】
【発明が解決しようとする課題】
【０００８】
しかしながら、エアーキャップあるいはエアークッションと呼ばれる緩衝性シートはフレキシブルなシートであるから、この緩衝性シートを台紙としてスキンパックした包装体を輸送したり、あるいは商店の店頭に展示するためには、更に別の包装容器に収容する必要があった。
【０００９】
そこで、本発明は、この緩衝性シートを台紙としてスキンパックして、しかも、このような別の包装容器を要することなく、輸送あるいは展示することのできる包装体を提供することを目的とする。
【課題を解決するための手段】
【００１０】
すなわち、請求項１に記載の発明は、包装袋と、１又はそれ以上の固体内容物と、この固体内容物を固定する固定用フィルムとから成り、
包装袋の内面に、空気を封入した凸部が多数配列されており、
固体内容物がこの包装袋内面に位置すると共に、固定用フィルムが固体内容物を被覆して、その周囲で包装袋内面に密着していることを特徴とする緩衝性包装体である。
【００１１】
次に、請求項２に記載の発明は、包装袋内面と固定用フィルムとの間が減圧状態に維持されていることを特徴とする請求項１に記載の緩衝性包装体である。
【００１２】
また、請求項３に記載の発明は、複数の前記固体内容物が、互いに離隔した位置に配置されていることを特徴とする請求項１又は２に記載の緩衝性包装体である。
【００１３】
また、請求項４に記載の発明は、包装袋が互いに向き合う前壁と後壁とを備えており、複数の前記固体内容物のうち、少なくとも１の固体内容物が前壁の内面と固定用フィルムとの間に位置しており、他の固体内容物が後壁の内面と固定用フィルムとの間に位置していることを特徴とする請求項３に記載の緩衝性包装体である。
【発明の効果】
【００１４】
本発明の包装体は、一方の面に空気を封入した凸部を多数配列したシート、俗にエアーキャップあるいはエアークッションと呼ばれる緩衝性シートを包装袋の材料として使用したもので、包装袋はこの凸部を多数配列した面を内面として製袋されている。
【００１５】
また、この緩衝性シートを台紙として固体内容物はスキンパックされている。すなわち、固定用フィルムが固体内容物を被覆し、固体内容物の周囲で緩衝性シートの内面と密着しているから、固体内容物は揺動することなく、緩衝性シート製包装袋に固定されている。
【００１６】
このため、固体内容物を外部の衝撃から保護することができる。また、前述のように緩衝性シートは包装袋を構成しているから、本発明の包装体と別の包装容器を要することなく、輸送はもちろん商店の店頭で展示することも可能とある。
【図面の簡単な説明】
【００１７】
【図１】図１は緩衝用シートに係り、図１（ａ）はその斜視図、図１（ｂ）は断面説明図である。
【図２】図２は本発明の包装体製造工程中の中間体に係り、図２（ａ）はその斜視図、図２（ｂ）は断面説明図である。
【図３】図３は本発明の包装体の具体例に係り、図３（ａ）はその斜視図、図３（ｂ）は断面説明図である。
【図４】図４は本発明の包装体の別の具体例の断面説明図である。
【発明を実施するための形態】
【００１８】
説明の便宜のため、製造工程に沿って本発明の具体例を説明する。
【００１９】
すなわち、まず、包装袋の材料となる緩衝用シート１を準備する。この緩衝用シートは、俗にエアーキャップあるいはエアークッションと呼ばれるもので、図１（ａ）及び（ｂ）に示すように、一方の面に空気を封入した凸部１ａを多数配列したシートである。
【００２０】
そして、この緩衝用シート１の両面のうち、凸部１ａを多数配列した面の上に固体内容物２を載置する。固体内容物２は任意であってよいが、衝撃で壊れ易い商品が好適である
。例えば、精密部品やプラスチック成形品である。
【００２１】
次に、この固体内容物２を被覆して固定用フィルム３を重ねる。固定用フィルム３は加熱により軟化するフィルムであることが必要である。例えば、ポリエチレンフィルム、ポリプロピレンフィルム、ポリ塩化ビニルフィルム等の熱可塑性樹脂フィルムを使用することができる。
【００２２】
そして、緩衝用シート１と固定用フィルム３との間を真空吸引すると共に、固定用フィルム３を加熱軟化させる。緩衝用シート１と固定用フィルム３との間には、凸部１ａと凸部１ａとの間に隙間があるから、この隙間から真空吸引することが可能である。そして、こうして真空吸引及び加熱軟化により、固定用フィルム３は概ね固体内容物２の外形に沿って変形し、密着する。なお、固体内容物２の周囲では、緩衝用シート１の凸部１ａの形状に沿って変形し、固定用フィルム３と緩衝用シート１とが密着して接着する。
【００２３】
こうして得られた中間体の外形を図２（ａ）に示す。また、図２（ｂ）は、その断面を説明するための断面説明図である。図中、折り曲げ線は、後述するように三方シール袋を製袋する際に折り曲げる線を示しており、この折り曲げ線によって緩衝用シート１は前壁１１と後壁１２とに区分されている。固体内容物２は前壁１１と後壁１２のいずれに配置されていてもよいが、この例では前壁１１に配置されている。
【００２４】
なお、この例では、１個の固体内容物２を１枚の固定用フィルム３で固定しているが、複数の固体内容物２を固定用フィルム３で固定することも可能である。この場合、１枚の固定用フィルム３で複数の固体内容物２の全部を被覆して固定してもよいし、固体内容物２のそれぞれを別の固定用フィルム３で被覆して固定することも可能である。また、これら複数の固体内容物２は、その全部が前壁１１と後壁１２のいずれか一方に配置されていてもよいし、複数の固体内容物２のうち一部の固体内容物２が前壁１１に配置され、残りの固体内容物２が後壁１２に配置されていてもよい。いずれの場合でも、包装体を製造したとき、固体内容物２が互いに離隔する位置に配置されていることが望ましい。
【００２５】
次に、この中間体を、その中央の折り曲げ線から折り曲げ、前壁１１と後壁１２とを互いに重ね合わせ、両側縁及び端縁の凸部１ａを潰してヒートシールすることにより、本発明の包装体１００を製造することができる。なお、凸部１ａを潰すことなくヒートシールすることもできるが、この場合には、凸部１ａと凸部１ａとの間に隙間ができるから、この包装体は密封することができない。
【００２６】
こうして得られた包装体１００の外形を図３（ａ）に示す。また、図３（ｂ）は、図３（ａ）のＸ−Ｘ線における断面を説明するための説明図である。これらの図から分かるように、この包装体１００は、平面視四角形で、その一辺を折り曲げ線とし、他の三辺をシール線とする三方シール袋である。そして、この包装体１００を構成する包装袋は、空気を封入した凸部１ａを多数配列した前記緩衝用シート１で構成されており、しかも、凸部を多数配列した面をその内面側としている。そして、この包装袋の前壁１１内面に固体内容物２が配置されており、この固体内容物２を固定用フィルム３が被覆して、その周囲で包装袋の前壁１１内面に密着している。このため、固体内容物２は包装袋の前壁１１内面に固定されて揺動することがない。しかも、この固体内容物２は、前記凸部１ａを多数配列した前壁１１と後壁１２とで囲まれているため、外部からの衝撃から固体内容物２を保護することができる。また、この包装体１００は三方シール袋の形態を有しているから、周知の三方シール袋と同様に、別の包装容器に収容することなく、輸送したり、商店の店頭で展示することができる。
【００２７】
次に、２個の固体内容物２を、それぞれ、前壁１１及び後壁１２に固定した包装体の例
を図４に示す。この図は、固体内容物２１と固体内容物２２とを、それぞれ、固定用フィルム３１及び固定用フィルム３２で被覆して、前壁１１及び後壁１２に固定した包装体２００の断面を説明するための説明図である。この図から分かるように、固体内容物２１と固体内容物２２との間には隙間があり、このため、輸送等の工程で包装体２００が揺動しても固体内容物２１と固体内容物２２とが衝突することがなく、両者共に損傷を受けることがない。
【００２８】
以上、三方シール袋の形態の包装体を例として本発明を説明したが、これに限らず、本発明の包装体は任意の形態であってよいことは明らかである。例えば、四方シール袋、スタンディングパウチ、ガゼット袋、ピロー袋等の形態である。
【符号の説明】
【００２９】
１００：包装体
１：緩衝性シート    １１：前壁    １２：後壁    １ａ：凸部
２：固体内容物  
３：固定用フィルム
２００：包装体
２１：第１の固体内容物    ２２：第２の固体内容物
３１：第１の固定用フィルム    ３２：第２の固定用フィルム
【図１】
2017105485.tif 000003
【図２】
2017105485.tif 000004
【図３】
2017105485.tif 000005
【図４】
2017105485.tif 000006